(57)【特許請求の範囲】
【請求項１】
縦置きにされた円環形の保持枠に保持され、該保持枠の円環中心回りに回転する加湿フィルタと、該加湿フィルタの下部が浸漬する水槽とを送風路の中途に備え、該送風路内を流れる空気を前記加湿フィルタに通し、該加湿フィルタの下流側に気化水分を含む湿り空気を送り出すように構成された加湿機において、
前記加湿フィルタの下部を前記水槽内に導入する導入口を有し、前記水槽を覆う蓋部を備え、
前記加湿フィルタは、前記保持枠の外周面に周方向の異なる位置にて転接する３つ以上のローラで支持してあり、
前記ローラの一つは、前記保持枠に駆動力を伝える駆動ローラであり、前記ローラの残りは、前記保持枠の回転に応じて回転する従動ローラであり、
前記従動ローラが前記蓋部に連結してあること
を特徴とする加湿機。
【請求項２】
前記蓋部は、前記水槽に対して着脱可能に装着してあることを特徴とする請求項１に記載の加湿機。
【請求項３】
前記駆動ローラは、上側から前記保持枠に転接しており、
前記従動ローラは、前記駆動ローラの転接位置上を通過する縦方向の軸を対称軸とした対称二位置それぞれにて下側から前記保持枠に転接していることを特徴とする請求項１又は２に記載の加湿機。
【請求項４】
前記駆動ローラは歯車であり、前記保持枠の外周面に形成された歯に噛合させてあることを特徴とする請求項１から３のいずれか一つに記載の加湿機。
【請求項５】
前記従動ローラは、前記水槽の内部に、該水槽の内部の水中に位置すべく配してあることを特徴とする請求項１から４のいずれか一つに記載の加湿機。
【発明の詳細な説明】
【技術分野】
【０００１】
本発明は、水を含んだ加湿フィルタに空気を通し、該加湿フィルタの下流側に導出される気化水分を含む湿り空気を外部に送り出すように構成された加湿機に関する。
【背景技術】
【０００２】
近年、健康指向の高まりに応じて、室内の空気に適正な湿度を与えるための加湿機が広く用いられている。特に、水の加熱蒸発を伴わずに加湿を可能とする気化式の加湿機（例えば、特許文献１参照）は、室内温度を変えずに湿度調節をなし得ることから、その普及が拡大している。
【０００３】
気化式の加湿機は、吸込口と吐出口とを結ぶ送風路の中途に、送風ファンと水を含んだ加湿フィルタとを配してなり、送風ファンの動作により吸込口を経て送風路内に導入される空気を加湿フィルタに通し、吐出口を経て室内に送り出すように構成されている。
【０００４】
加湿フィルタは、高い含水性を有すると共に通気が可能な材料（不織布等）製のシートであり、通気との接触面積を増すべく蛇腹状に折り重ね、円盤形の保持枠に収納保持してある。保持枠は、定量の水が貯留された水槽に下部を浸漬させ、横軸回りに低速度で回転駆動されており、送風路に対向する前面及び後面に通気用の開口を有している。
【０００５】
送風路内を流れる空気は、保持枠の前面の開口を経て加湿フィルタと接触し、気化水分を含む湿り空気となって保持枠の後面の開口を経て送り出される。加湿フィルタは、保持枠と共に回転しつつ水槽内の水を吸い上げ、気化に伴って失われる水分を補充するように構成してある。
【先行技術文献】
【特許文献】
【０００６】
【特許文献１】特開２００９−４７４０２号公報
【発明の概要】
【発明が解決しようとする課題】
【０００７】
加湿フィルタを長時間使用した場合、カルシウム又はマグネシウムなどの水溶性の不純物、いわゆるスケールが析出する場合がある。スケールの析出によって、加湿フィルタの通気性は低下し、加湿フィルタを通過すべき風が加湿フィルタを迂回して、水槽に貯留された水に触れる。このため水槽にて水が波立ち、風量によっては巻き上げられる。
【０００８】
巻き上げられた水は、水槽の外部に飛散し、付着する。付着した水が乾燥することによって、スケールが析出し、加湿機内部の美感が損なわれる。また飛散した水量によっては、加湿機から漏水する。そのためユーザは、加湿機の内部を頻繁に点検し、清掃を行うことを余儀なくされ、利便性が低下するという問題があった。
【０００９】
本発明は斯かる事情に鑑みてなされたものであり、水槽からの水の飛散を防止することができる加湿機を提供することを目的とする。
【課題を解決するための手段】
【００１０】
本発明に係る加湿機は、縦置きにされた円環形の保持枠に保持され、該保持枠の円環中心回りに回転する加湿フィルタと、該加湿フィルタの下部が浸漬する水槽とを送風路の中途に備え、該送風路内を流れる空気を前記加湿フィルタに通し、該加湿フィルタの下流側に気化水分を含む湿り空気を送り出すように構成された加湿機において、前記加湿フィルタの下部を前記水槽内に導入する導入口を有し、前記水槽を覆う蓋部を備え、前記加湿フィルタは、前記保持枠の外周面に周方向の異なる位置にて転接する３つ以上のローラで支持してあり、前記ローラの一つは、前記保持枠に駆動力を伝える駆動ローラであり、前記ローラの残りは、前記保持枠の回転に応じて回転する従動ローラであり、前記従動ローラが前記蓋部に連結してあることを特徴とする。
【００１１】
本発明においては、蓋部によって、加湿フィルタを迂回した風が水槽の内側に入り込むことが抑制され、水槽に貯留してある水の波立ち又は巻き上げが防止される。加湿フィルタを迂回した風が導入口から水槽の内側に入り込み、波立ち又は巻き上げが発生したとしても、水は蓋部に当接し、水槽の外側に飛散しない。
また加湿フィルタを収納保持する円盤形の保持枠を、該保持枠の外周面に転接する３つ以上のローラで支持し、回転支持のために前後面の中央部に設けられる支軸を不要とし、該支軸が位置する保持枠の中央部及びその周辺を通気用の開口として有効利用し、加湿能力の向上を図ることができる。
また保持枠を支持するローラの一つを、該保持枠に回転力を伝える駆動ローラとして兼用し、回転駆動手段を含めた合理的な配置を実現する。
また例えば水槽及び蓋部の清掃後に、蓋部を水槽に取り付けなかった場合、従動ローラが水槽になく、加湿フィルタを固定することができない。そのためユーザは、蓋部を水槽に取り付けなかった場合、加湿フィルタを水槽に設置するときに、蓋部の取り付けを失念していることを確実に認識することができ、蓋部を水槽に取り付けた後に、加湿フィルタを設置する。
【００１２】
本発明に係る加湿機は、前記蓋部は、前記水槽に対して着脱可能に装着してあることを特徴とする。
【００１３】
本発明においては、蓋部又は水槽に析出したスケールの除去及び清掃を行う場合に、ユーザは水槽から蓋部を容易に取り外して各別にスケールの除去及び清掃を行い、またスケールの除去及び清掃が終了した場合に、容易に水槽に蓋部を装着する。そのため清掃の効率性が向上し、ユーザの利便性が向上する。
【００２０】
本発明に係る加湿機は、前記駆動ローラは、上側から前記保持枠に転接しており、前記従動ローラは、前記駆動ローラの転接位置上を通過する縦方向の軸を対称軸とした対称二位置それぞれにて下側から前記保持枠に転接していることを特徴とする。
【００２１】
本発明においては、駆動ローラを保持枠の上部に配し、該駆動ローラの両側に対称に配置した従動ローラにより保持枠の下半部を支え、安定した支持と確実な伝動とを併せて実現する。
【００２２】
本発明に係る加湿機は、前記駆動ローラは歯車であり、前記保持枠の外周面に形成された歯に噛合させてあることを特徴とする。
【００２３】
本発明においては、駆動ローラを保持枠の外周に設けたギヤ部に噛合する歯車とし、滑りのない確実な伝動を実現する。
【００２４】
本発明に係る加湿機は、前記従動ローラは、前記水槽の内部に、該水槽の内部の水中に位置すべく配してあることを特徴とする。
【００２５】
本発明においては、従動ローラを水槽内部の水中に配置し、保持枠との回転に応じた従動ローラの転動を水の潤滑作用により滑らかに行わせると共に、従動ローラの表面への埃及び水垢の付着を防止し、長期に亘って安定した回転支持を可能とする。
【発明の効果】
【００２６】
本発明に係る加湿機にあっては、蓋部によって、加湿フィルタを迂回した風が水槽の内側に入り込むことが抑制され、水槽に貯留してある水の波立ち又は巻き上げが防止される。加湿フィルタを迂回した風が導入口から水槽の内側に入り込み、波立ち又は巻き上げが発生したとしても、水は蓋部に当接し、水槽の外側に飛散しないので、飛散した水によって水槽の外側にスケールが析出して、加湿機内部の美感が損なわれ、ユーザに頻繁に清掃を強いることを回避することができる。
【図面の簡単な説明】
【００２７】
【図１】実施の形態１に係る加湿機の外観斜視図である。
【図２】加湿機の概略構成を示す側断面図である。
【図３】加湿フィルタユニットの支持構造を示す斜視図である。
【図４】加湿フィルタユニットの支持構造を示す一部破断正面図である。
【図５】加湿フィルタユニット及び蓋部を取り外して示す水槽の内部の斜視図である。
【図６】支持ローラによる加湿フィルタユニットの支持部の拡大断面図である。
【図７】実施の形態２に係る加湿機の蓋部に連結した支持ローラを略示する斜視図である。
【図８】加湿フィルタユニットの支持構造を示す一部破断正面図である。
【図９】支持ローラによる加湿フィルタユニットの支持部の拡大断面図である。
【発明を実施するための形態】
【００２８】
（実施の形態１）
以下本発明を実施の形態１を示す図面に基づいて詳述する。
図１は、実施の形態１に係る加湿機の外観斜視図、図２は、加湿機の概略構成を示す側断面図である。なお図２は、正面を左、背面を右として示してあり、図１は、背面側（図２の右側）から見た斜視図である。以下の説明では、正面側を前とし、背面側を後とする。
【００２９】
本発明に係る加湿機は、縦に長い矩形箱形のハウジング１の内部に、送風ファン２、加湿フィルタユニット３及び水槽４を備えている。図２に示すようにハウジング１の内部は、隔壁１１により後側の吸込室１２と前側の吐出室１３とに分割されている。吸込室１２は、ハウジング１の後面パネル１４に開設された多数の吸込口１５、１５…を介して外部に連通し、また吐出室１３は、ハウジング１の天板に開設された吐出口１６を介して外部に連通しており、吸込室１２と吐出室１３とは、隔壁１１の下部に設けた開口１１ａを経て相互に連通されている。
【００３０】
図１に示すように、後面パネル１４は着脱可能であり、該後面パネル１４の前側には、脱臭フィルタ１７及び集塵フィルタ１８が積層配置してある。脱臭フィルタ１７は、例えば、不織布に活性炭を分散保持させてなり、通気中の臭い成分を吸着除去する作用をなす。集塵フィルタ１８は、例えば、公知のＨＥＰＡ(High Efficiency Particulate Air )フィルタであり、通気中に含まれる微細な塵埃を捕集除去する作用をなす。脱臭フィルタ１７及び集塵フィルタ１８は、合成樹脂製の矩形の枠体１７ａ、１８ａに各別に一体化され、後面パネル１４の前側に設けたフィルタ室に嵌め込まれている。
【００３１】
送風ファン２は、羽根車２０と、該羽根車２０を駆動するファンモータ２１とを備えている。ファンモータ２１は、吐出室１３の外部に固定されており、羽根車２０は、吐出室１３の内に突出するファンモータ２１の出力端に固定され、隔壁１１下部の開口１１ａに対向配置してある。送風ファン２の羽根車２０は、ファンモータ２１の駆動により回転し、該羽根車２０が回転した場合、図１中に白抜矢符にて示すように、後面パネル１４の吸込口１５を経て吸込室１２の内部に外気が導入され、該吸込室１２の内部を前方向に流れて隔壁１１下部の開口１１ａを経て羽根車２０に吸い込まれ、上向きに方向を変えて吐出室１３の内部に導出され、吐出口１６を経て外部に送り出される。
【００３２】
このようにハウジング１の内部の吸込室１２及び吐出室１３は、送風ファン２の動作に応じて前述した空気の流れを発生する送風路を構成する。脱臭フィルタ１７及び集塵フィルタ１８は、以上の如き送風路の上流側に位置しており、吸込口１５を経て吸込室１２に導入される外気は、脱臭フィルタ１７の通過により臭い成分を除去され、集塵フィルタ１８の通過により塵埃を除去された清浄な空気となって送り出される。図示の加湿機は、脱臭フィルタ１７及び集塵フィルタ１８の配置により空気清浄機としても機能する。
【００３３】
加湿フィルタユニット３及び水槽４は、以上のように送風路の内部を流れる空気を加湿すべく、集塵フィルタ１８と送風ファン２との間に配置してある。
【００３４】
水槽４は左右に長い矩形の深皿形をなし、またハウジング１の底板上に載置し、集塵フィルタ１８の前側の吸込室１２の内部に配してある。水槽４の上部に、水槽４を覆う蓋部４５が着脱可能に装着してある。蓋部４５は、加湿フィルタユニット３の下部を水槽４の内側に導入する細長い矩形の導入口４６を中央部に有する上面部４５ａと、該上面部４５ａの周縁部に連なり、水槽４の上縁部の周囲に配置される側面部４５ｂとを備える。上面部４５ａの前後及び左右寸法は水槽４の上部開口に対応した寸法である。側面部４５ｂは水槽４の上縁部に当接し、蓋部４５の左右及び前後方向の位置決めがなされる。
【００３５】
加湿フィルタユニット３は導入口４６に導入され、その下部が水槽４の内側に位置している。加湿フィルタユニット３は、中空の円盤形をなす保持枠３０の内部に加湿フィルタ３１を収納保持して構成されている。加湿フィルタ３１は、不織布等、高い含水性を有すると共に通気が可能な材料製のシートであり、後述するように流れる通気との接触面積を増すべく、図２に示すように、蛇腹状に折り重ねて前記保持枠３０に収納されている。加湿フィルタユニット３の厚さ寸法は、矩形の導入口４６の短手寸法よりも僅かに小さく、導入口４６の長手縁と加湿フィルタユニット３との間に形成される隙間は微小である。
【００３６】
なお水槽４は、該水槽４上に後述のように支持される加湿フィルタユニット３と共に、ハウジング１の一側面から外部に引き出すことが可能である。水槽４の引き出し側の端部には、広幅のタンク受け４０が連設してあり、該タンク受け４０には、給水タンク４１が着脱されるようになしてある。
【００３７】
給水タンク４１は、給水栓４２を下向きとした倒立姿勢にてタンク受け４０に装着される。給水栓４２は、公知の定水位弁を内蔵している。この定水位弁は、タンク受け４０への装着時に、該タンク受け４０の該当位置に立設した押し上げ突起４３（図３参照）に押し上げられて開放状態となり、給水タンク４１内の収容水を水槽４の内水位の低下に応じて送り出し、該水槽４の内水位を一定に維持するように作用する。
【００３８】
次に加湿フィルタユニット３の支持構造について詳述する。図３は、加湿フィルタユニット３の支持構造を示す斜視図、図４は、同じく一部破断正面図であり、水槽４の一部を破断して示してある。なお図３、図４中には、加湿フィルタユニット３の保持枠３０のみを図示し、該保持枠３０の内部の加湿フィルタ３１の図示は省略してある。
【００３９】
図３、図４に示すように加湿フィルタユニット３は、その下部を水槽４の内部に差し込んだ状態で支持されている。図４に示すように水槽４の内部には、加湿フィルタユニット３の下部を支持する２つの支持ローラ６、６が配してある。
【００４０】
図５は、加湿フィルタユニット３及び蓋部４５を取り外して示す水槽４の内部の斜視図であり、支持ローラ６、６が図示されている。図６は、支持ローラ６による加湿フィルタユニット３の支持部の拡大断面図である。
【００４１】
支持ローラ６、６は、軸方向中央の小径部の両側に、斜め外向きに立ち上がる転接面６ａ、６ａ（図６参照）を有する鼓形のローラであり、各別の保持ブラケット６０、６０に回転自在に保持され、これらの保持ブラケット６０、６０を水槽４の側壁４４、４４間に嵌め込むことにより、図４及び図５に示すように、矩形の水槽４の底面上で長手方向の両側に振り分け配置されている。
【００４２】
保持ブラケット６０は、図６に示すように、底板の両端部に垂直に立ち上がる側板を備える「コの字形」の部材である。支持ローラ６は、両端面の中心部に設けた凹部６１、６１を保持ブラケット６０の両側板に設けた凸部６２、６２に係合させて保持されている。保持ブラケット６０は、水槽４の側壁４４、４４間に、これらの側壁４４、４４の内面に両側板を当てた状態で嵌め込まれている。
【００４３】
このように取付けられた支持ローラ６、６は、水槽４の底面上で、該底面と平行をなす軸回りに回転可能であり、また、水槽４に対して、保持ブラケット６０、６０と共に着脱可能である。加湿フィルタユニット３は、図４に示すように、水槽４の内部に差し込んだ保持枠３０の下部外周を支持ローラ６、６に転接させ、これらの支持ローラ６、６の上に載置された状態で支持されている。
【００４４】
保持枠３０の外周面には、図３に示すように、幅方向の中央部に全周に亘って歯が形成された適宜幅のリングギヤ部３２が一体に設けてある。支持ローラ６は、図６に示すように、前記転接面６ａ、６ａをリングギヤ部３２の側面に転接させて保持枠３０を支持している。転接面６ａ、６ａは、前述したように、支持ローラ６の中央の小径部の両側に斜め外向きに立ち上がる傾斜面としてあり、加湿フィルタユニット３の保持枠３０を下部から支えると共に、水槽４の幅方向に位置決めする作用をなす。
【００４５】
従って、加湿フィルタユニット３は、保持枠３０の下部を水槽４の内部に差し込み、支持ローラ６、６の上に載置することにより、図３に示すように、水槽４の上で垂直に立ち上がる姿勢で支持され、このように支持された加湿フィルタユニット３は、図１に示すように、ハウジング１の一側面から水槽４と共に外部に引き出すことができ、また逆に、水槽４と共にハウジング１内に押し込み、該ハウジング１の内部の所定位置にセットすることができる。
【００４６】
なお支持ローラ６、６は、夫々の保持ブラケット６０、６０と共に水槽４の側壁４４、４４に対して着脱することができる。支持ローラ６、６の取り外しは、水槽４の内部、又は支持ローラ６、６自体を清掃するために実施される。また支持ローラ６、６は、水槽４の側壁４４、４４自体を保持ブラケットとし、これらの側壁４４、４４間に直接的に嵌め込み支持することも可能である。
【００４７】
保持枠３０の外周に設けたリングギヤ部３２は、図２、図４に示すように、保持枠３０の上位置に配した駆動ユニット５の駆動歯車５１に噛合されている。駆動ユニット５は、基台５０の一面に相互に噛合する駆動歯車５１及び伝動歯車５２を備え、基台５０の他面に駆動モータ５３を備えてなり、基台５０を貫通する複数本の固定ねじ５４、５４…（図４参照）により吸込室１２の内部の適宜位置に固定されている。伝動歯車５２は、駆動モータ５３の出力端に連結されており、駆動モータ５３の回転は、伝動歯車５２を介して駆動歯車５１に伝わり、該駆動歯車５１が回転するようになしてある。
【００４８】
駆動ユニット５の駆動歯車５１と保持枠３０のリングギヤ部３２との噛合は、加湿フィルタユニット３がハウジング１の内部に前述の如くセットされた状態で生じ、この噛合により加湿フィルタユニット３は、水槽４の内部の２つの支持ローラ６、６と、駆動ユニット５の駆動歯車５１とにより、周方向の異なる位置で３点支持されることとなる。
【００４９】
このように支持される加湿フィルタユニット３は、図２に示すように、吸込室１２の内部において集塵フィルタ１８の前側及び送風ファン２の後側に対向するように位置し、駆動ユニット５の駆動モータ５３を駆動した場合、駆動歯車５１の回転がリングギヤ部３２を介して保持枠３０に伝わり、図２に示す位置を保って回転する。支持ローラ６、６は、保持枠３０の回転に応じて軸回りに転動する従動ローラとして機能し、加湿フィルタユニット３の回転を阻害しない。
【００５０】
リングギヤ部３２と矩形の導入口４６の短手縁との間に僅かな隙間を空けて加湿フィルタユニット３が支持されるように、水槽４、蓋部４５及び導入口４６を設計し、支持ローラ６、６を配置してある。そのためリングギヤ部３２は導入口４６の短手縁に当接せず、導入口４６の短手縁は、加湿フィルタユニット３の回転を阻害しない。また前述したように、導入口４６の長手縁と加湿フィルタユニット３との間に微小な隙間が形成されるので、導入口４６の長手縁も、加湿フィルタユニット３の回転を阻害しない。
【００５１】
図４に示すように、保持枠３０の下部を支持する支持ローラ６、６は、上部を支持する駆動歯車５１の両側に対称をなす位置に転接しており、加湿フィルタユニット３の支持姿勢は安定し、該加湿フィルタユニット３は、駆動ユニット５の駆動により確実に回転する。また駆動ユニット５は、駆動歯車５１と伝動歯車５２とを備える歯車伝動機構であり、駆動歯車５１の回転が、これに噛合するリングギヤ部３２を介して保持枠３０に伝わるから、加湿フィルタユニット３は、滑りを生じることなく確実に回転する。
【００５２】
なお、駆動ユニット５は、保持枠３０の外周に転接するローラを備える摩擦伝動機構により構成することもできる。この構成においても加湿フィルタユニット３は、周方向の異なる位置で３点支持されることで安定した支持姿勢を保つことができる。また、加湿フィルタユニット３を支持するローラの数は、以上の３つに限らず、４つ以上であってもよい。
【００５３】
水槽４の内部には、前述の如く、一定水位の水が貯留されており、以上の如く回転する保持枠３０の下部は、水槽４の貯留水中に浸漬される。水槽４の貯留水は、保持枠３０に収納保持された加湿フィルタ３１に吸い上げられ、保持枠３０の回転により持ち上げられて、加湿フィルタ３１の全体に行き渡る。
【００５４】
図４中には、水槽４の内水位Ｌが２点鎖線により示してある。加湿フィルタユニット３の下部を支持する支持ローラ６、６は、図４に示すように、水槽４内部の貯留水中に没するように配し、内水位Ｌよりも下位置にて保持枠３０を支持している。従って、支持ローラ６、６は、水槽４内部の貯留水による自己潤滑下にて、加湿フィルタユニット３の回転に応じて滑らかに従動回転することができる。また支持ローラ６、６は、運転休止中にも水中に位置することから、表面に水垢が付着残留し、また埃が付着する虞れがなく、支持ローラ６、６による加湿フィルタユニット３の支持状態は、長期に亘って安定して維持される。更に支持ローラ６、６は、前述したように、各別の保持ブラケット６０、６０と共に水槽４から取り外して清掃することもできる。
【００５５】
以上のように加湿フィルタユニット３は、保持枠３０の上部に転接する駆動ローラ（駆動歯車５１）と、保持枠３０の上部に転接する２つのローラ（支持ローラ６、６）とにより支持された状態で回転する。従って、図２及び図３に示す保持枠３０の前面（集塵フィルタ１８との対向面）と、該前面の逆側に位置する後面とには、夫々の中心部に回転支持のための支軸を設ける必要がなく、例えば、図２及び図３に示すように、保持枠３０に収納された加湿フィルタ３１を支えるために、中心部に設けた円形の支え環３３と、該支え環３３を外周部に連絡する複数本（図においては６本）の支えリブ３４、３４…とを設ける程度で十分である。これにより保持枠３０の前面及び後面には、前記支え環３３及び支えリブ３４、３４…を除く略全面に開口を設けることができる。
【００５６】
以上の如く支持された加湿フィルタユニット３の保持枠３０の内部には、送風ファン２の動作により吸込室１２及び吐出室１３内を流れる空気が前面の開口を経て導入され、保持枠３０内に収納保持された加湿フィルタ３１に接触して気化水分を含む湿り空気となり、保持枠３０の後面の開口を経て送り出される。
【００５７】
実施の形態１に係る加湿機にあっては、保持枠３０は、前面及び後面に略全面に亘る大面積の開口を有しており、また前記保持枠３０は、外周面の異なる位置に転接する３つのローラ（駆動歯車５１及び支持ローラ６、６）により支持されており、前面及び後面の中央部に回転支持のための支軸を有しておらず、この支軸を支えるための支持部材が保持枠３０の前後に存在しない。従って、保持枠３０の内部には、前後で阻害されることなく多くの空気が通り、該保持枠３０に収納保持された、加湿フィルタ３１に接触することとなり、加湿フィルタ３１と通気との接触を良好に行わせて、加湿性能の向上を実現することができる。
【００５８】
加湿フィルタ３１を長時間使用した場合に、加湿フィルタ３１にスケールが析出して、加湿フィルタ３１の通気性が低下し、加湿フィルタ３１を通過すべき風が加湿フィルタ３１を迂回することがある。迂回先に水槽４がある場合、風は蓋部４５に当接し、水槽４の内側に入り込まない。迂回した風が導入口４６から水槽４の内側に入り込んだ場合、風は水槽４に貯留された水に触れ、水槽４の内側にて水が波立ち、風量によっては巻き上げられることがあるが、導入口４６の縁部分と加湿フィルタユニット３との間に形成された隙間は僅かであり、巻き上げられた水が導入口４６から水槽４の外側へ飛散することはほとんどない。また保持枠３０の回転によって跳ね上がった水は、水槽４の内側にて蓋部４５に当接し、水槽４の外部に飛散しない。そのため、飛散した水によってスケールが析出していないか、ユーザが加湿機の内部を頻繁に点検し、清掃を行うことを余儀なくされることはない。
【００５９】
蓋部４５は水槽４に着脱可能に装着してあり、蓋部４５又は水槽４に析出したスケールの除去及び清掃を行う場合に、ユーザは水槽４から蓋部４５を容易に取り外して各別にスケールの除去及び清掃を行い、またスケールの除去及び清掃が終了した場合に、容易に水槽４に蓋部４５を装着する。そのため清掃の効率性を向上させて、ユーザの利便性を向上させることができる。
【００６０】
（実施の形態２）
以下本発明を実施の形態２に係る加湿機を示す図面に基づいて詳述する。図７は蓋部４５に連結した支持ローラ６を略示する斜視図、図８は加湿フィルタユニット３の支持構造を示す一部破断正面図、図９は支持ローラ６による加湿フィルタユニット３の支持部の拡大断面図である。
【００６１】
導入口４６の各長手縁に、下方に突出し、支持ローラ６と蓋部４５とを連結する二つの連結板４７、４７が長手方向に適長離隔して蓋部４５と一体的に設けてある。一の長手縁に設けた連結板４７、４７と他の長手縁に設けた連結板４７、４７とは互いに対面しており、連結板４７の各対向間に支持ローラ６、６が設けてある。
【００６２】
図９に示すように、互いに対向する連結板４７、４７の対向面に凸部４８、４８が設けてある。該凸部４８、４８に、支持ローラ６の凹部６１、６１が回転自在に係合している。支持ローラ６は、連結板４７を介して蓋部４５に連結しており、蓋部４５の脱着と共に水槽４から取り外されるか又は水槽４の内側に配設される。水槽４の内側に配設された場合、支持ローラ６は、水槽４の底部から適長離隔し、連結板４７に吊り下げられた状態となる。
【００６３】
実施の形態２に係る加湿機にあっては、例えば水槽４及び蓋部４５の清掃後に、蓋部４５を水槽４に取り付けなかった場合、支持ローラ６が水槽４になく、加湿フィルタユニット３を支持ローラ６にて支持することができない。そのためユーザは、蓋部４５を水槽４に取り付けなかった場合には、加湿フィルタユニット３を水槽４に設置するときに、蓋部４５の取り付けを失念していることを確実に認識することができ、蓋部４５を水槽４に取り付けた後に、加湿フィルタユニット３を設置することができ、蓋部４５の取り付けが確実に実行される。
【００６４】
実施の形態２に係る加湿機の構成の内、実施の形態１と同様な構成については同じ符号を付し、その詳細な説明を省略する。
【００６５】
以上説明した実施の形態は本発明の例示であり、本発明は特許請求の範囲に記載された事項及び特許請求の範囲の記載に基づいて定められる範囲内において種々変更した形態で実施することができる。
【符号の説明】
【００６６】
４  水槽
６  支持ローラ（従動ローラ）
１２  吸込室（送風路）
１３  吐出室（送風路）
３０  保持枠
３１  加湿フィルタ
３２  リングギヤ部  
４５  蓋部
４６  導入口
４７  連結板
４８  凸部
５１  駆動歯車（駆動ローラ）
【図１】
0005586345.tif 000002
【図２】
0005586345.tif 000003
【図３】
0005586345.tif 000004
【図４】
0005586345.tif 000005
【図５】
0005586345.tif 000006
【図６】
0005586345.tif 000007
【図７】
0005586345.tif 000008
【図８】
0005586345.tif 000009
【図９】
0005586345.tif 000010